(57)【特許請求の範囲】
【請求項１】
定数が可変である整合器を介して高周波電力を負荷に供給する高周波電源装置において、発振周波数が可変である周波数発振器と、
前記周波数発振器の出力を増幅して前記整合器に出力する増幅器と、
前記高周波電源装置と前記負荷との間の整合状態を示す整合状態値を検出する検出部と、前記整合状態値に基づいて前記周波数発振器の発振周波数を制御することによりインピーダンス軌跡が可変する第１の制御と、前記整合状態値に基づいて前記整合器の定数を制御することによりインピーダンス軌跡が可変する第２の制御とを同時に実行する制御部と、を備え、
前記第１の制御は、算出された電圧定在波比（ＶＳＷＲ）に応じて前記発振周波数が変更される方向（掃引方向）を決定して制御するものであって、前回算出されたＶＳＷＲと今回算出されたＶＳＷＲとを比較し、改善されている場合は前記発振周波数が変更される方向を前回と同じ方向に決定し、悪化している場合は前記発振周波数が変更される方向を前回と逆の方向に決定する制御であって、
前記第２の制御は、算出された電圧定在波比（ＶＳＷＲ）に応じて前記整合器の定数が変更される方向（定数のダウンまたはアップ）を決定して制御するものであって、前回算出されたＶＳＷＲと今回算出されたＶＳＷＲとを比較し、改善されている場合は前記整合器の定数が変更される方向を前回と同じ方向に決定し、悪化している場合は前記整合器の定数が変更される方向を前回と逆の方向に決定する制御であって、
前記第１の制御によって前記発振周波数が変更される周期と、前記第２の制御によって前記定数が変更される周期とが前記各インピーダンス軌跡において並行しないこと、
により発振周波数の制御と整合器の制御が連携して前記負荷を通過するようにインピーダンス軌跡とすることで所望の目標値の整合を取るものであることを特徴とする高周波電源装置。
【請求項２】
定数が可変である整合器を介して高周波電力を負荷に供給する高周波電源装置において、発振周波数が可変である周波数発振器と、
前記周波数発振器の出力を増幅して前記整合器に出力する増幅器と、
前記高周波電源装置と前記負荷との間の整合状態を示す整合状態値を検出する検出部と、前記整合状態値に基づいて前記周波数発振器の発振周波数を制御することによりインピーダンス軌跡が可変する第１の制御と、前記整合状態値に基づいて前記整合器の定数を制御することによりインピーダンス軌跡が可変する第２の制御とを切り替えて実行する制御部と、を備えると共に、
前記第１の制御は、算出された電圧定在波比（ＶＳＷＲ）に応じて前記発振周波数が変更される方向（掃引方向）を決定して制御するものであって、前回算出されたＶＳＷＲと今回算出されたＶＳＷＲとを比較し、改善されている場合は前記発振周波数が変更される方向を前回と同じ方向に決定し、悪化している場合は前記発振周波数が変更される方向を前回と逆の方向に決定する制御であって、
前記第２の制御は、算出された電圧定在波比（ＶＳＷＲ）に応じて前記整合器の定数が変更される方向（定数のダウンまたはアップ）を決定して制御するものであって、前回算出されたＶＳＷＲと今回算出されたＶＳＷＲとを比較し、改善されている場合は前記整合器の定数が変更される方向を前回と同じ方向に決定し、悪化している場合は前記整合器の定数が変更される方向を前回と逆の方向に決定する制御であって、
前記制御部は、前記第１の制御から前記第２の制御に切り替えるとき、前記第１の制御の制御結果を維持したまま前記第２の制御を行い、前記第２の制御から前記第１の制御に切り替えるとき、前記第２の制御の制御結果を維持したまま前記第１の制御を行うことを特徴とし、さらに、
前記制御部は、前記第１の制御から前記第２の制御に切り替えた後、前記第２の制御による定数の変更を所定回数行って前記第１の制御に戻ること、
により発振周波数の制御と整合器の制御が連携して前記負荷を通過するようにインピーダンス軌跡とすることで所望の目標値の整合を取るものであることを特徴とする高周波電源装置。
【請求項３】
定数が可変である整合器を介して高周波電力を負荷に供給する高周波電源装置において、発振周波数が可変である周波数発振器と、
前記周波数発振器の出力を増幅して前記整合器に出力する増幅器と、
前記高周波電源装置と前記負荷との間の整合状態を示す整合状態値を検出する検出部と、前記整合状態値に基づいて前記周波数発振器の発振周波数を制御することによりインピーダンス軌跡が可変する第１の制御と、前記整合状態値に基づいて前記整合器の定数を制御することによりインピーダンス軌跡が可変する第２の制御とを切り替えて実行する制御部とを備え、
前記第１の制御は、算出された電圧定在波比（ＶＳＷＲ）に応じて前記発振周波数が変更される方向（掃引方向）を決定して制御するものであって、前回算出されたＶＳＷＲと今回算出されたＶＳＷＲとを比較し、改善されている場合は前記発振周波数が変更される方向を前回と同じ方向に決定し、悪化している場合は前記発振周波数が変更される方向を前回と逆の方向に決定する制御であって、
前記第２の制御は、算出された電圧定在波比（ＶＳＷＲ）に応じて前記整合器の定数が変更される方向（定数のダウンまたはアップ）を決定して制御するものであって、前回算出されたＶＳＷＲと今回算出されたＶＳＷＲとを比較し、改善されている場合は前記整合器の定数が変更される方向を前回と同じ方向に決定し、悪化している場合は前記整合器の定数が変更される方向を前回と逆の方向に決定する制御であって、
前記第１の制御によって前記発振周波数が変更される周期と、前記第２の制御によって前記定数が変更される周期とが前記各インピーダンス軌跡において直交すると共に、
前記制御部は、前記第１の制御から前記第２の制御に切り替えるとき、前記第１の制御の制御結果を維持したまま前記第２の制御を行い、前記第２の制御から前記第１の制御に切り替えるとき、前記第２の制御の制御結果を維持したまま前記第１の制御を行うこと、
により発振周波数の制御と整合器の制御が連携して前記負荷を通過するようにインピーダンス軌跡とすることで所望の目標値の整合を取るものであることを特徴とする高周波電源装置。
【請求項４】
前記制御部は、前記第１の制御において、前記整合状態値とその目標値との差分に応じて前記発振周波数の変更幅を決定することを特徴とする請求項１から３のいずれかに記載の高周波電源装置。
【請求項５】
前記制御部は、前記第２の制御において、前記整合状態値とその目標値との差分に応じて前記定数の変更幅を決定することを特徴とする請求項１から４のいずれかに記載の高周波電源装置。
【請求項６】
整合器の定数と周波数発振器の発振周波数が可変である高周波電源装置の整合方法において、
前記高周波電源装置とその電力供給先である負荷との間の整合状態を示す整合状態値を検出し、
前記整合状態値に基づいて前記周波数発振器の発振周波数を制御することによりインピーダンス軌跡が可変する第１の制御と、前記整合状態値に基づいて前記整合器の定数を制御することによりインピーダンス軌跡が可変する第２の制御とを同時に実行することを特徴とし、さらに、
前記第１の制御は、算出された電圧定在波比（ＶＳＷＲ）に応じて前記発振周波数が変更される方向（掃引方向）を決定して制御するものであって、前回算出されたＶＳＷＲと今回算出されたＶＳＷＲとを比較し、改善されている場合は前記発振周波数が変更される方向を前回と同じ方向に決定し、悪化している場合は前記発振周波数が変更される方向を前回と逆の方向に決定する制御であって、
前記第２の制御は、算出された電圧定在波比（ＶＳＷＲ）に応じて前記整合器の定数が変更される方向（定数のダウンまたはアップ）を決定して制御するものであって、前回算出されたＶＳＷＲと今回算出されたＶＳＷＲとを比較し、改善されている場合は前記整合器の定数が変更される方向を前回と同じ方向に決定し、悪化している場合は前記整合器の定数が変更される方向を前回と逆の方向に決定する制御であって、
前記第１の制御によって前記発振周波数が変更される周期と、前記第２の制御によって前記定数が変更される周期とが前記各インピーダンス軌跡において並行しないこと、
により発振周波数の制御と整合器の制御が連携して前記負荷を通過するようにインピーダンス軌跡とすることで所望の目標値の整合を取るものであることを特徴とする高周波電源装置の整合方法。
【請求項７】
整合器の定数と周波数発振器の発振周波数が可変である高周波電源装置の整合方法において、
前記高周波電源装置とその電力供給先である負荷との間の整合状態を示す整合状態値を検出し、
前記整合状態値に基づいて前記周波数発振器の発振周波数を制御することによりインピーダンス軌跡が可変する第１の制御と、前記整合状態値に基づいて前記整合器の定数を制御することによりインピーダンス軌跡が可変する第２の制御とを切り替えて実行すると共に、
前記第１の制御は、算出された電圧定在波比（ＶＳＷＲ）に応じて前記発振周波数が変更される方向（掃引方向）を決定して制御するものであって、前回算出されたＶＳＷＲと今回算出されたＶＳＷＲとを比較し、改善されている場合は前記発振周波数が変更される方向を前回と同じ方向に決定し、悪化している場合は前記発振周波数が変更される方向を前回と逆の方向に決定する制御であって、
前記第２の制御は、算出された電圧定在波比（ＶＳＷＲ）に応じて前記整合器の定数が変更される方向（定数のダウンまたはアップ）を決定して制御するものであって、前回算出されたＶＳＷＲと今回算出されたＶＳＷＲとを比較し、改善されている場合は前記整合器の定数が変更される方向を前回と同じ方向に決定し、悪化している場合は前記整合器の定数が変更される方向を前回と逆の方向に決定する制御であって、
前記第１の制御から前記第２の制御に切り替えるとき、前記第１の制御の制御結果を維持したまま前記第２の制御を行い、前記第２の制御から前記第１の制御に切り替えるとき、前記第２の制御の制御結果を維持したまま前記第１の制御を行うことを特徴とし、
さらに、
前記制御部は、前記第１の制御から前記第２の制御に切り替えた後、前記第２の制御による定数の変更を所定回数行って前記第１の制御に戻ること、
により発振周波数の制御と整合器の制御が連携して前記負荷を通過するようにインピーダンス軌跡とすることで所望の目標値の整合を取るものであることを特徴とする高周波電源装置の整合方法。
【請求項８】
整合器の定数と周波数発振器の発振周波数が可変である高周波電源装置の整合方法において、
前記高周波電源装置とその電力供給先である負荷との間の整合状態を示す整合状態値を検出し、
前記整合状態値に基づいて前記周波数発振器の発振周波数を制御することによりインピーダンス軌跡が可変する第１の制御と、前記整合状態値に基づいて前記整合器の定数を制御することによりインピーダンス軌跡が可変する第２の制御とを切り替えて実行するものであって、
前記第１の制御は、算出された電圧定在波比（ＶＳＷＲ）に応じて前記発振周波数が変更される方向（掃引方向）を決定して制御するものであって、前回算出されたＶＳＷＲと今回算出されたＶＳＷＲとを比較し、改善されている場合は前記発振周波数が変更される方向を前回と同じ方向に決定し、悪化している場合は前記発振周波数が変更される方向を前回と逆の方向に決定する制御であって、
前記第２の制御は、算出された電圧定在波比（ＶＳＷＲ）に応じて前記整合器の定数が変更される方向（定数のダウンまたはアップ）を決定して制御するものであって、前回算出されたＶＳＷＲと今回算出されたＶＳＷＲとを比較し、改善されている場合は前記整合器の定数が変更される方向を前回と同じ方向に決定し、悪化している場合は前記整合器の定数が変更される方向を前回と逆の方向に決定する制御であって、
前記第１の制御によって前記発振周波数が変更される周期と、前記第２の制御によって前記定数が変更される周期とが前記各インピーダンス軌跡において直交すると共に、
前記第１の制御から前記第２の制御に切り替えるとき、前記第１の制御の制御結果を維持したまま前記第２の制御を行い、前記第２の制御から前記第１の制御に切り替えるとき、前記第２の制御の制御結果を維持したまま前記第１の制御を行うこと、
により発振周波数の制御と整合器の制御が連携して前記負荷を通過するようにインピーダンス軌跡とすることで所望の目標値の整合を取るものであることを特徴とする高周波電源装置の整合方法。
【請求項９】
前記制御部は、前記第１の制御において、前記整合状態値とその目標値との差分に応じて前記発振周波数の変更幅を決定することを特徴とする請求項６から８のいずれかに記載の高周波電源装置の整合方法。
【請求項１０】
前記制御部は、前記第２の制御において、前記整合状態値とその目標値との差分に応じて前記定数の変更幅を決定することを特徴とする請求項６から９のいずれかに記載の高周波電源装置の整合方法。
【発明の詳細な説明】
【技術分野】
【０００１】
本発明は、高周波電源装置およびその整合方法に関する。
【背景技術】
【０００２】
エッチングや薄膜形成といった半導体製造工程では、プラズマ処理装置が用いられる。このプラズマ処理装置の電源供給源として、高周波電源装置が用いられる。高周波電源装置からプラズマ処理装置に効率良く電力を供給するには、高周波電源とプラズマ処理装置（負荷）との間でインピーダンスを整合させる必要がある。【０００３】
インピーダンスを整合させる方式として、以下の２つの方式が知られている。１つ目の方式は、高周波電源装置と負荷との間に整合器を挿入する方式である。この整合器は、一般に、可変コンデンサやインダクタンスから構成される。高周波電源装置は高い耐圧性能が要求されることから、整合器の可変コンデンサとして真空コンデンサが使用されることが多い。２つ目の方式は、高周波電源装置の発振周波数を調整する方式である。【０００４】
前者の方式は、整合範囲が広いが整合器の定数の制御に時間を要する。一方、後者の方式は、前者に比べて短時間で制御が可能であるが、整合範囲が狭い。【０００５】
これらの方式を併用した技術として、特許文献１に記載される技術がある。特許文献１に記載される技術は、プラズマが発生するまでは、発振周波数を放電前の負荷のインピーダンスの共振周波数に整合するように変化させ、プラズマが発生した後は、発振周波数を予め設定された固定の周波数に切り替えて整合器の制御を行う。これにより、特許文献１は、プラズマを速やかに発生させると共に、発生したプラズマを安定に維持するようにしている。
【先行技術文献】
【特許文献】
【０００６】
【特許文献１】特許第２８８４０５６号
【発明の概要】
【発明が解決しようとする課題】
【０００７】
半導体製造工程で用いるプラズマ処理装置は、プロセスによってガスの種類やガス流量、圧力、電力等の条件を変更することがある。これらの条件を変更した場合、プラズマ処理装置のインピーダンス特性が変化する。そのため、全ての条件で整合できるよう、高周波電源装置の整合範囲を広げることが要求される。上記した特許文献１に記載される技術は、発振周波数の制御と整合器の制御を行っているが、整合範囲はそれぞれの制御を単独で行ったときと変わらない。【０００８】
本発明は上記実情に鑑みて為されたもので、より広い整合範囲を有する高周波電源装置およびその整合方法を提供することにある。
【課題を解決するための手段】
【０００９】
上記課題を解決するために、本発明に係る高周波電源装置にあっては、定数が可変である整合器を介して高周波電力を負荷に供給する高周波電源装置において、発振周波数が可変である周波数発振器と、前記周波数発振器の出力を増幅して前記整合器に出力する増幅器と、前記高周波電源装置と前記負荷との間の整合状態を示す整合状態値を検出する検出部と、前記整合状態値に基づいて前記周波数発振器の発振周波数を制御する第１の制御と、前記整合状態値に基づいて前記整合器の定数を制御する第２の制御とを同時に実行する制御部と、を備えるように構成した。【００１０】
また、本発明に係る高周波電源装置にあっては、定数が可変である整合器を介して高周波電力を負荷に供給する高周波電源装置において、発振周波数が可変である周波数発振器と、前記周波数発振器の出力を増幅して前記整合器に出力する増幅器と、前記高周波電源装置と前記負荷との間の整合状態を示す整合状態値を検出する検出部と、前記整合状態値に基づいて前記周波数発振器の発振周波数を制御する第１の制御と、前記整合状態値に基づいて前記整合器の定数を制御する第２の制御とを切り替えて実行する制御部と、を備えると共に、前記制御部は、前記第１の制御から前記第２の制御に切り替えるとき、前記第１の制御の制御結果を維持したまま前記第２の制御を行い、前記第２の制御から前記第１の制御に切り替えるとき、前記第２の制御の制御結果を維持したまま前記第１の制御を行うように構成した。【００１１】
また、本発明に係る高周波電源装置の整合方法にあっては、整合器の定数と周波数発振器の発振周波数が可変である高周波電源装置の整合方法において、前記高周波電源装置とその電力供給先である負荷との間の整合状態を示す整合状態値を検出し、前記整合状態値に基づいて前記周波数発振器の発振周波数を制御する第１の制御と、前記整合状態値に基づいて前記整合器の定数を制御する第２の制御とを同時に実行するように構成した。【００１２】
また、本発明に係る高周波電源装置の整合方法にあっては、整合器の定数と周波数発振器の発振周波数が可変である高周波電源装置の整合方法において、前記高周波電源装置とその電力供給先である負荷との間の整合状態を示す整合状態値を検出し、前記整合状態値に基づいて前記周波数発振器の発振周波数を制御する第１の制御と、前記整合状態値に基づいて前記整合器の定数を制御する第２の制御とを切り替えて実行すると共に、前記第１の制御から前記第２の制御に切り替えるとき、前記第１の制御の制御結果を維持したまま前記第２の制御を行い、前記第２の制御から前記第１の制御に切り替えるとき、前記第２の制御の制御結果を維持したまま前記第１の制御を行うように構成した。
【発明の効果】
【００１３】
本発明に係る高周波電源装置およびその整合方法によれば、発振周波数の制御と整合器の制御とを連携して行うことで、整合範囲を広げることができる。
【図面の簡単な説明】
【００１４】
【図１】本発明に係る高周波電源装置の構成を示すブロック図である。
【図２】本発明に係る高周波電源装置に接続される負荷のインピーダンス特性の一例を示す図である。
【図３】本発明に係る高周波電源装置に接続される負荷のインピーダンス特性の一例を示す図である。
【図４】図１に示す整合器の回路構成の一例を示す回路図である。
【図５】図１に示す整合器のインピーダンス特性の一例を示す図である。
【図６】図３に示す特性と図５に示す特性とを組み合せたときの特性の変化を示す図である。
【図７】本発明の第１の実施の形態に係る周波数制御の処理を示すフローチャートである。
【図８】本発明の第１の実施の形態に係る整合器制御の処理を示すフローチャートである。
【図９】図７および図８に示す処理を実行したときの整合状態を示すタイムチャートである。
【図１０】本発明の第２の実施の形態に係る周波数制御と整合器制御の処理の前半部分を示すフローチャートである。
【図１１】本発明の第２の実施の形態に係る周波数制御と整合器制御の処理の後半部分を示すフローチャートである。
【図１２】図１０および図１１に示す処理を実行したときの整合状態を示すタイムチャートである。
【図１３】本発明の第３の実施の形態に係る周波数制御と整合器制御の処理の前半部分を示すフローチャートである。
【図１４】本発明の第３の実施の形態に係る周波数制御と整合器制御の処理の後半部分を示すフローチャートである。
【図１５】図１３および図１４に示す処理を実行したときの整合状態を示すタイムチャートである。
【図１６】本発明の第４の実施の形態に係る周波数制御と整合器制御の処理の前半部分を示すフローチャートである。
【図１７】本発明の第４の実施の形態に係る周波数制御と整合器制御の処理の後半部分を示すフローチャートである。
【図１８】図１６および図１７に示す処理を実行したときの整合状態を示すタイムチャートである。
【発明を実施するための形態】
【００１５】
以下、本発明に係る高周波電源装置およびその整合方法について、図面を参照しながら説明する。
【実施例１】
【００１６】
図１は、第１の実施の形態に係る高周波電源装置のブロック図である。
高周波電源装置１は、周波数発振器１０と、ＲＦ増幅器１１と、方向性結合器１２と、検出回路１３と、制御部１４とを備える。高周波電源装置１の出力側には、整合器２を介して負荷３が接続される。高周波電源装置１は、例えば数ＭＨｚから数十ＭＨｚの高周波電力を出力する。【００１７】
周波数発振器１０は、発振周波数が可変であり、制御部１４からの指示に応じた周波数の高周波を出力する。周波数発振器１０の出力は、ＲＦ増幅器１１に入力される。ＲＦ増幅器１１は、入力を所定のレベル（例えば数ｋＷから数十ｋＷ）まで増幅させて出力する。ＲＦ増幅器１１の出力は、整合器２を介して負荷３に供給される。【００１８】
負荷３は、例えば、エッチングや薄膜形成といった半導体製造工程で使用されるプラズマ処理装置、より具体的には、プラズマ処理装置のチャンバに巻きつけられた誘電性の負荷（コイル等）である。プラズマ処理装置は、適切な周波数とレベルの電力供給を受けると、例えばヘリカルレゾネータの原理で並列共振を起こし、プラズマを発生させる。また、プラズマ処理装置は、チャンバに供給されるガスやチャンバ内の圧力、印加電力等の条件により、インピーダンス特性が変化する。【００１９】
ＲＦ増幅器１１と整合器２の間には、方向性結合器１２が設けられる。方向性結合器１２は、高周波電源装置１から負荷３に向かう進行波と、負荷３から高周波電源装置１に反射された反射波を取り出す。
方向性結合器１２で取り出された進行波と反射波は検出回路１３に入力される。検出回路１３は、進行波電力Ｐｆと反射波電力Ｐｒを表す信号を制御部１４に出力する。
尚、方向性結合器１２は、高周波電源装置１と別個に設けてもよい。また、方向性結合器１２は、整合器２と負荷３の間に設けるようにしてもよい。また、整合器２は、高周波電源装置１の内部に設けてもよい。【００２０】
負荷３のインピーダンスの変化に応じて高周波電源装置１と負荷３のインピーダンスに不整合が生じると、反射波が発生する。反射波が多くなれば、負荷３に供給される電力が反射波の電力分だけ少なくなり、プラズマを安定に発生できなくなる。このインピーダンスの不整合を解消するために、制御部１４は、進行波電力Ｐｆと反射波電力Ｐｒに基づき、周波数発振器１０の発振周波数と、整合器２の定数を制御する。以下、周波数発振器１０の発振周波数の制御を「周波数制御」と呼び、整合器２の定数の制御を「整合器制御」と呼ぶ。【００２１】
ここで、負荷のインピーダンスの周波数特性（以下、単に「周波数特性」と呼ぶ）と、整合器のトポロジーについて説明する。
周波数制御でインピーダンスを整合させる場合、周波数特性に応じて整合範囲が制限される。
図２に、周波数特性の一例を示す。図２は、周波数をパラメータとして、スミスチャート上にインピーダンスをプロットした図である。このスミスチャートは５０Ωで正規化した図で、ａ１点は周波数ｆａ１、ｂ１点は周波数ｆｂ１、ｃ１点は周波数ｆｃ１のときのインピーダンスを示している。【００２２】
周波数制御でインピーダンスを整合させる場合には、インピーダンスが５０Ωであるｂ１点になるように、つまり周波数がｆｂ１になるように発振周波数を制御すればよい。図２の例では、周波数制御のみで整合がとれる周波数特性を示している。【００２３】
図３に、周波数特性の他の例を示す。図３に示す周波数特性では、インピーダンスの軌跡が５０Ωの点を通らないため、周波数制御だけでは整合を取ることができない。
しかしながら、周波数特性が図３に示す特性であっても、整合器制御を組み合せることで、整合を取ることが可能となることを発明者は知見した。周波数制御に整合器制御を組み合せるにあたり、整合器のトポロジーが重要となる。図４に、図３に示す周波数特性に適した整合器の回路構成例を示す。図４に示す回路構成例では、負荷に対して並列に可変コンデンサを設けた。【００２４】
図５に、図４に示す回路のインピーダンスの軌跡を示す。図５では、説明を簡単にするため、５０Ωの負荷にコンデンサを並列に接続したときの軌跡を示している。図５に示すように、コンデンサの容量が大きくなるに従い、インピーダンスがゼロに向かう軌跡を描く。この特性を図３に示す周波数特性に組み合せると、図６のようにａ２点、ｂ２点、ｃ２点は、それぞれａ３点、ｂ３点、ｃ３点に移動する。この状態で、インピーダンスがｂ３点になるように周波数制御を行うことで整合を取ることができる。【００２５】
ここで、図３に示す周波数特性に好適な整合器を図４に示す回路構成とした理由について説明する。図３と図５を比較してわかるように、それぞれのインピーダンスの軌跡は並行しない。仮に、周波数に対するインピーダンスの軌跡と、整合器の定数を変更したときのインピーダンスの軌跡が一致（並行）するならば、周波数制御と整合器制御を組み合わせたとしても、整合範囲を広げることは出来ない。一方、周波数に対するインピーダンスの軌跡と、整合器の定数を変更したときのインピーダンスの軌跡を並行させない（例えば直交させる）ことで、周波数に対するインピーダンスの軌跡を、５０Ωを通過する軌跡にすることができる。【００２６】
そこで、負荷の周波数特性に応じて、整合器のトポロジーを見直す必要がある。具体的には、上記のように、周波数に対するインピーダンスの軌跡に対して、整合器の定数を変更したときの軌跡が並行しないようにする。この条件を満たせば、周波数制御と整合器制御を組み合せることで多様な周波数特性に対して整合を取ることが可能となり、整合範囲を広げることができる。【００２７】
本実施例では、負荷３の周波数特性は図３に示す特性であり、整合器２は図４に示す回路構成であるものとする。
また、本実施例では、整合器２を構成する可変コンデンサは真空コンデンサであり、電動モータ等を駆動して容量を変更するものとする。
尚、周波数特性や回路構成は上記の条件を満たしていればよく、図示のものに限定されるものではない。回路構成としては、例えば、負荷３に対して直列に可変コンデンサを接続した構成や、インダクタとコンデンサを組み合わせた構成であってもよい。【００２８】
次いで、制御部１４で実行される周波数制御と整合器制御について説明する。【００２９】
図７は、制御部１４で実行される周波数制御の動作を示すフローチャートであり、図８は、制御部１４で実行される整合器制御の動作を示すフローチャートである。
本実施例では、制御部１４において、周波数制御と整合器制御を相互に切り替えながら実行する。周波数制御と整合器制御は、高周波電源装置１の起動後、どちらを先に実行してもよいが、本実施例では周波数制御を先に実行する。これは、一般に周波数制御の方が整合器制御よりも時定数が小さく、収束に要する時間が短いためである。最初に広い範囲で整合を試みたい場合などは、整合器制御を先に実行してもよい。【００３０】
図７に示す周波数制御の動作について説明すると、先ず、周波数制御フラグがＯＮか否か判断する（Ｓ１０）。周波数制御フラグは、周波数制御の実行を許可するフラグであり、初期値はＯＮ（実行許可）である。
周波数制御フラグがＯＦＦの場合は以降の処理をスキップする。一方、周波数制御フラグがＯＮのときはＶＳＷＲ（ｖｏｌｔａｇｅ
ｓｔａｎｄｉｎｇ ｗａｖｅ ｒａｔｉｏ。電圧定在波比）の今回値であるＶＳ（ｔ）を算出する。ＶＳ（ｔ）は次の式１に従って算出する（Ｓ１１）。ＰｆとＰｒは、それぞれ進行波電力と反射波電力である。
ＶＳ（ｔ）＝（Ｐｆ＋Ｐｒ）／（Ｐｆ−Ｐｒ）    式１【００３１】
次いで、追従制御を実行中か否か判断する（Ｓ１２）。追従制御とは、ＶＳ（ｔ）に応じて発振周波数を変更する制御である。追従制御を実行中でない場合は、掃引制御（ＳＷＥＥＰ制御）を実行中か否か判断する（Ｓ１３）。掃引制御を実行中でない場合は、発振周波数Ｆ（ｔ）に初期値（初期周波数）を設定して周波数発振器１０を動作させる（Ｓ１４）。そして、初期周波数による周波数発振器１０の動作時間を計時する（Ｓ１５）。所定時間経過するまで（タイムＵＰするまで）はＳ１０からＳ１４の処理を繰り返す。一方、所定時間経過した場合は掃引制御に移行し（Ｓ１６）、Ｓ１０に戻る。【００３２】
掃引制御に移行すると、次回のループにおいてＳ１３で肯定され、掃引制御が実行される（Ｓ１７）。掃引制御では、周波数を大きく動かしながらＶＳ（ｔ）が低下するポイントをサーチする。
掃引制御を行いながらＶＳ（ｔ）を所定値ＶＳｒｅｆと比較し（Ｓ１８）、ＶＳ（ｔ）が所定値ＶＳｒｅｆを下回った場合は追従制御に移行する（Ｓ１９）。ＶＳ（ｔ）が所定値ＶＳｒｅｆを下回わらない場合はＳ１０に戻って掃引制御を継続する。【００３３】
追従制御に移行すると、次回のループにおいてＳ１２で肯定され、周波数変更方向（ｄｏｗｎまたはＵＰ）の決定処理が行われる（Ｓ２０）。
追従制御が初回であるときは、周波数の変更方向は特定の方向（本実施例ではｄｏｗｎとする）に決定される。一方、追従制御が２回目以降であるときは、ＶＳＷＲの前回値（前回の追従制御を行う前のＶＳＷＲ）であるＶＳ（ｔ−１）と今回値ＶＳ（ｔ）に基づいて変更方向を決定する。具体的には、ＶＳ（ｔ−１）がＶＳ（ｔ）以上、即ち、前回の追従制御によってＶＳＷＲが改善している場合には、前回と同一方向とする。逆に、ＶＳ（ｔ−１）がＶＳ（ｔ）を下回っている、即ち、前回の追従制御によってＶＳＷＲが悪化している場合には、前回と逆方向とする。【００３４】
次いで、周波数の変更幅ΔＦを決定する（Ｓ２１）。変更幅ΔＦは、ＶＳ（ｔ）に応じて決定される。具体的には、ＶＳ（ｔ）が大きいほど（目標値から離れているほど）、変更幅ΔＦを大きくする。これにより、ＶＳ（ｔ）をより速やかに目標値に近づけることができると共に、目標値近傍では精度良く目標値に追従させることができる。【００３５】
周波数の変更方向と変更幅ΔＦを決定すると、現在の発振周波数であるＦ（ｔ）にΔＦを加算あるいは減算して、Ｆ（ｔ）を更新する（Ｓ２２）。次いで、ＶＳ（ｔ）を前回値ＶＳ（ｔ−１）として記憶し（Ｓ２３）、発振周波数をＳ２２で更新した新たなＦ（ｔ）に制御する（Ｓ２４）。【００３６】
次いで、発振周波数が変更された後のＶＳ（ｔ）を算出し、当該ＶＳ（ｔ）が目標値に達しているか否か判断する（Ｓ２５）。本実施例では、目標とするＶＳＷＲを１とする。【００３７】
ＶＳ（ｔ）が目標値に達していない場合は、追従制御回数Ｆｃｎｔ（ｎ）をカウントアップし（Ｓ２６）、このＦｃｎｔ（ｎ）が所定回数（例えば１００回）を超えているか否か判断する（Ｓ２７）。Ｆｃｎｔ（ｎ）が所定回数を超えていない場合、即ち、周波数制御によるＶＳ（ｔ）の改善がまだ見込まれる場合は、Ｓ１０に戻って周波数制御を継続する。
一方、Ｆｃｎｔ（ｎ）が所定回数を超えているときは、周波数制御をこれ以上行ってもＶＳ（ｔ）の改善は期待できないため、周波数制御フラグをＯＦＦにすると共に、整合器制御フラグ（初期値ＯＦＦ）をＯＮに設定し（Ｓ２８）、Ｓ１０に戻る。周波数制御フラグがＯＦＦに設定されると、次回のループにおいてＳ１０で否定されるため、周波数制御が実行されないことになる。【００３８】
また、ＶＳ（ｔ）が目標値に達した場合は、追従制御回数Ｆｃｎｔ（ｎ）の値を０にリセットし（Ｓ２９）、Ｓ１０に戻る。尚、ＶＳ（ｔ）が目標値に達した場合は、一定時間、周波数制御を停止してもよい。【００３９】
次いで、図８に示す整合器制御の動作について説明する。図８に示す処理は、図７に示す処理と同時に（並行して）実行される。整合器制御では、先ず、整合器制御フラグがＯＮか否か判断する（Ｓ５０）。この整合器制御フラグは、ＯＮのときに整合器制御の実行を許可するもので、整合器制御フラグがＯＮでないときは以降の処理をスキップする。
前述したように、整合器制御フラグは、初期値がＯＦＦであると共に、図７に示す処理で周波数制御フラグがＯＦＦされるのと同時にＯＮに設定される。そのため、高周波電源装置１の起動時には整合器制御は実行されず、周波数制御から整合器制御に切り替えられることになる。
周波数制御から整合器制御に切り替えられた際、発振器１０の発振周波数は、周波数制御で設定された最新のＦ（ｔ）に維持される。【００４０】
整合器制御フラグがＯＮのときはＶＳ（ｔ）を算出し（Ｓ５１）、定数変更方向（ｄｏｗｎまたはＵＰ）の決定処理が行われる（Ｓ５２）。
整合器制御が初回であるときは、定数の変更方向は特定の方向（本実施例ではｕｐ方向）に決定される。一方、整合器制御が２回目以降であるときは、前回の整合器制御を行う前のＶＳＷＲであるＶＳ（ｔ−ｘ）と今回値ＶＳ（ｔ）に基づいて変更方向を決定する。具体的には、ＶＳ（ｔ−ｘ）がＶＳ（ｔ）以上、即ち、前回の整合器制御によってＶＳＷＲが改善している場合には、前回と同一方向とする。逆に、ＶＳ（ｔ−ｘ）がＶＳ（ｔ）を下回っている、即ち、前回の整合器制御によってＶＳＷＲが悪化している場合には、前回と逆方向とする。【００４１】
次いで、定数の変更幅ΔＣを決定する（Ｓ５３）。変更幅ΔＣは、ΔＦ同様、ＶＳ（ｔ）に応じて決定される。具体的には、ＶＳ（ｔ）が大きいほど（目標値から離れているほど）、変更幅ΔＣを大きくする。これにより、ＶＳ（ｔ）をより速やかに目標値に近づけることができると共に、目標値近傍では精度良く目標値に追従させることができる。尚、整合器制御で制御する定数は、具体的には可変コンデンサの容量であり、ΔＣの単位は、例えばｐＦ（ピコ・ファラッド）とする。【００４２】
定数の変更方向と変更幅ΔＣを決定すると、現在の定数であるＣ（ｔ）にΔＣを加算あるいは減算して、Ｃ（ｔ）を更新する（Ｓ５４）。そして、ＶＳ（ｔ）を上述のＶＳ（ｔ−ｘ）として記憶し（Ｓ５５）、定数をＳ５４で更新した新たなＣ（ｔ）に制御する（Ｓ５６）。【００４３】
次いで、定数が変更された後のＶＳ（ｔ）を算出し、当該ＶＳ（ｔ）が目標値（ＶＳＷＲ＝１）に達しているか否か判断する（Ｓ５７）。【００４４】
ＶＳ（ｔ）が目標値に達していない場合は、整合器制御回数Ｃｃｎｔ（ｎ）をカウントアップし（Ｓ５８）、このＣｃｎｔ（ｎ）が所定回数（例えば５回）を超えているか否か判断する（Ｓ５９）。Ｃｃｎｔ（ｎ）が所定回数を超えていない、即ち、整合器制御によるＶＳ（ｔ）の改善がまだ見込まれるときは、Ｓ５０に戻って整合器制御を継続する。
一方、Ｃｃｎｔ（ｎ）が所定回数を超えているときは、整合器制御をこれ以上継続してもＶＳ（ｔ）の改善が期待できないため、周波数制御フラグをＯＮにすると共に、整合器制御フラグをＯＦＦに設定し（Ｓ６０）、Ｓ５０に戻る。また、ＶＳ（ｔ）が目標値に達した場合は、整合器制御回数Ｃｃｎｔ（ｎ）の値を０にリセットし（Ｓ６１）、Ｓ５０に戻る。尚、ＶＳ（ｔ）が目標値に達した場合は、一定時間、整合器制御を停止してもよい。【００４５】
Ｓ６０で整合器制御フラグがＯＦＦに設定されると、次回のループにおいてＳ５０で否定されるため、整合器制御が実行されないことになる。逆に、周波数制御フラグがＯＮにされると、図７に示す処理で周波数制御が実行される。即ち、整合器制御から周波数制御に切り替えられる。このとき、整合器２の定数は、整合器制御で設定された最新のＣ（ｔ）に維持される。尚、整合器制御から周波数制御に切り替えられたときは、図７のＳ１２で肯定され、追従制御が実行されるものとする。【００４６】
図９は、図７に示す周波数制御と図８に示す整合器制御を実行したときの整合状態を示すタイムチャートである。
図９に示すように、周波数制御で整合しきれなかった場合、周波数制御で設定した周波数を維持しつつ整合器制御に切り替えることで、整合を取ることができる。また、整合器制御でも整合しきれなかった場合は、当該整合器制御で設定した定数を維持しつつ、再度、周波数制御に切り替えて整合を試みることで、徐々に目標値に近づけることができる。
尚、図９では、理解の便宜上、整合器制御の開始後、しばらくして定数が変更されるように示したが、実際には、設定した定数に徐々に近づいていく。【００４７】
以上のように、本発明の第１の実施の形態に係る高周波電源装置にあっては、周波数制御と整合器制御とを切り替えて実行すると共に、周波数制御から整合器制御に切り替えるとき、周波数制御の制御結果（最新のＦ（ｎ））を維持したまま整合器制御を行い、整合器制御から周波数制御に切り替えるとき、整合器制御の制御結果（最新のＣ（ｔ））を維持したまま周波数制御を実行するようにした。また、周波数制御（追従制御）を所定回数実行してもＶＳ（ｔ）が目標値に達しないときは周波数制御から整合器制御に切り替え、整合器制御を所定回数実行してもＶＳ（ｔ）が目標値に達しないときは整合器制御から周波数制御（追従制御）に切り替えるようにした。
このように、周波数制御と整合器制御とを連携して行うことで、整合範囲を広げることができる。
【実施例２】
【００４８】
次いで、第２の実施の形態に係る高周波電源装置について説明する。第１の実施の形態との相違点は周波数制御と整合器制御にあるので、それについて説明する。
図１０は、本発明の第２の実施の形態に係る周波数制御と整合器制御の処理の前半部分を示すフローチャートであり、図１１は、図１０に示す処理の後半部分を示すフローチャートである。【００４９】
図１０の処理について説明すると、先ず、ＶＳ（ｔ）と、周波数制御によるＶＳＷＲの変化率Ｆｖｓとを算出する（Ｓ１００）。ＶＳ（ｔ）の算出には上述の式１を用いる。Ｆｖｓの単位はパーセントであり、その算出には以下の式２を用いる。
Ｆｖｓ＝（（ＶＳ（ｔ−１）／ＶＳ（ｔ））×１００）−１００    式２【００５０】
次いで、Ｓ１０１からＳ１１６、Ｓ１１８において、第１の実施の形態で説明した図７のＳ１２からＳ２７、Ｓ２９と同様の処理を行う。これらの処理については説明を省略する。【００５１】
図１０において、Ｓ１１６で肯定された場合は、Ｆｖｓの絶対値が所定値Ｆｖｓｒｅｆ（例えば５％）を下回っているか否か、即ち、周波数制御によるＶＳＷＲの変化が少ないか否か判断する（Ｓ１１７）。周波数制御によるＶＳＷＲの変化が大きく、周波数制御によるＶＳ（ｔ）の改善が見込まれる場合は、Ｓ１００に戻って周波数制御（追従制御）を継続する。尚、Ｓ１１７において、所定回数連続してＦｖｓの絶対値が所定値Ｆｖｓｒｅｆを下回っているか否か判断するようにしてもよい。【００５２】
一方、周波数制御によるＶＳＷＲの変化が小さく、周波数制御によるＶＳ（ｔ）の改善が期待できない場合は、図１１のＳ１１９からＳ１２３において、第１の実施の形態で説明した図８のＳ５２からＳ５６と同様の整合器制御を行う。周波数制御から整合器制御に切り替えられた際、発振器１０の発振周波数は周波数制御で設定された最新のＦ（ｔ）が維持される。【００５３】
図１１において、Ｓ１２３の処理の後、定数変更が完了したか否か判断する（Ｓ１２４）。前述したように、整合器制御において、可変コンデンサの定数の変更には時間を要する。Ｓ１２４では、例えば、可変コンデンサの駆動を開始してからの経過時間をカウントしたり、可変コンデンサの容量を検出したりすることにより、定数変更が完了したか否かを判断する。
定数の変更が完了していない場合は、定数の変更が完了するまでＳ１２４の処理を繰り返す。一方、定数の変更が完了した場合は、Ｓ１０１の処理に戻って周波数制御（追従制御）を実行する。整合器制御から周波数制御に切り替えられた際、整合器２の定数は整合器制御で設定された最新のＣ（ｔ）が維持される。【００５４】
図１２は、図１０、図１１に示す周波数制御と整合器制御を実行したときの整合状態を示すタイムチャートである。
図１２に示すように、周波数制御で整合しきれなかった場合、周波数制御で設定した周波数を維持しつつ整合器制御に切り替える。そして、整合器制御で定数を所定回数（本実施例では１回）変更し、定数の変更が完了した時点で再度周波数制御に戻って整合を試みる。尚、整合器制御を連続して複数回実行した後、周波数制御に戻るようにしてもよい。【００５５】
このように、本発明の第２の実施の形態に係る高周波電源装置にあっては、周波数制御と整合器制御とを連携して行うことで、整合範囲を広げることができる。また、動作に時間を要する整合器制御を所定回数実行して周波数制御に移行するようにしたので、整合器制御で整合が取りきれないと判断されるまで整合器制御を継続する第１の実施の形態に比し、整合時間の短縮が期待できる。また、整合器制御の回数が減少すれば、機械的動作部品を有する整合器の寿命を延ばすことができる。
【実施例３】
【００５６】
次いで、第３の実施の形態に係る高周波電源装置について説明する。従前の実施の形態との相違点は周波数制御と整合器制御にあるので、それについて説明する。
図１３は、本発明の第３の実施の形態に係る周波数制御と整合器制御の処理の前半部分を示すフローチャートであり、図１４は、図１３に示す処理の後半部分を示すフローチャートである。【００５７】
図１３の処理について説明すると、先ず、ＶＳ（ｔ）と、Ｆｖｓと、整合器制御によるＶＳＷＲの変化率Ｃｖｓとを算出する（Ｓ２００）。ＶＳ（ｔ）の算出には上述の式１を用い、Ｆｖｓの算出には上述の式２を用いる。Ｃｖｓの単位はパーセントであり、その算出には以下の式３を用いる。
Ｃｖｓ＝（（ＶＳ（ｔ−ｘ）／ＶＳ（ｔ））×１００）−１００    式３【００５８】
次いで、今回の処理が、高周波電源装置１が起動してから初回の処理であるか否か判断する（Ｓ２０１）。今回の処理が初回であれば、整合器制御初回フラグをＯＮに設定すると共に、中断中フラグをＯＦＦに設定する（Ｓ２０２）。今回の処理が初回でなければ、Ｓ２０２の処理は行わない。【００５９】
次いで、Ｓ２０３からＳ２１７において、第２の実施の形態で説明した図１０のＳ１０１からＳ１１４、Ｓ１１８と同様な処理を行う。
図１３において、Ｓ２１６で否定された場合は、整合器制御初回フラグがＯＮに設定されているか否か判断する（Ｓ２１８）。整合器制御初回フラグは、高周波電源装置１の起動後に整合器制御が未実施か否かを示すフラグである。【００６０】
整合器制御初回フラグがＯＮの場合、即ち、まだ整合器制御を実行していないときは、Ｓ２１９からＳ２２１において、図１０のＳ１１５からＳ１１７と同様な処理を行う。一方、整合器制御初回フラグがＯＮに設定されていないとき、即ち、整合器制御が既に実行されているときは、Ｓ２１９からＳ２２１の処理をスキップする。【００６１】
次いで、図１４の処理に進み、定数を変更中か否か、具体的には、可変コンデンサを駆動している最中か否か判断する（Ｓ２２２）。この処理は、図１１のＳ１２４と同様に、可変コンデンサの駆動を開始してからの経過時間をカウントしたり、可変コンデンサの容量を検出したりすることで判断する。
Ｓ２２２で否定されるときは、中断中フラグがＯＮに設定されているか否か判断する（Ｓ２２３）。中断中フラグがＯＮに設定されていなければ、Ｃｖｓの絶対値が第１の所定値Ｃｖｓｒｅｆ１（例えば５％）を下回っているか否か、即ち、整合器制御によるＶＳ（ｔ）の変化が少ないか否か判断する（Ｓ２２４）。尚、Ｓ２２４において、所定回数連続してＣｖｓの絶対値が第１の所定値Ｃｖｓｒｅｆ１を下回っているか否か判断するようにしてもよい。【００６２】
Ｃｖｓの絶対値が第１の所定値Ｃｖｓｒｅｆ１を下回っておらず、整合器制御によるＶＳ（ｔ）の改善が見込まれる場合は、Ｓ２２５からＳ２２９において、図１１のＳ１１９からＳ１２３と同様の整合器制御を行う。
そして、Ｓ２２９の処理の後、整合器制御初回フラグをＯＦＦに設定し（Ｓ２３０）、Ｓ２００に戻って周波数制御（追従制御）を実行する。【００６３】
一方、Ｓ２２２で肯定されるとき、即ち、可変コンデンサを駆動しているときは、以降の整合器制御に関わる処理をスキップしてＳ２００に戻り、周波数制御（追従制御）を実行する。即ち、整合器制御によって整合器２の可変コンデンサを駆動している間も、周波数制御は実行し続ける。従って、周波数制御の実行中、整合器２の定数は、整合器制御で設定した最新のＣ（ｔ）に変更（更新）し続けられる。また、整合器制御の実行中、周波数発振器１０の発振周波数は、周波数制御で設定した最新のＦ（ｔ）に変更（更新）し続けられる。【００６４】
また、Ｓ２２４で肯定されるとき、即ち、Ｃｖｓの絶対値が第１の所定値Ｃｖｓｒｅｆ１を下回っており、整合器制御によるＶＳ（ｔ）の改善が期待できない場合は、中断中フラグをＯＮに設定する（Ｓ２３１）。中断中フラグは、整合器制御を中断するか否かを示すフラグである。【００６５】
中断中フラグがＯＮに設定されると、次回のループにおいてＳ２２３で肯定され、Ｃｖｓが第２の所定値Ｃｖｓｒｅｆ２を下回っているか否か判断する（Ｓ２３２）。第２の所定値Ｃｖｓｒｅｆ２は、例えば−２０％に設定する。上記の式（３）からわかるように、Ｃｖｓが負の値であることはＶＳ（ｔ）が大きくなったことを意味する。即ち、Ｓ２３２の判断は、整合器制御の中断中にＶＳ（ｔ）が所定の割合以上に悪化したか否かを判断することに相当する。Ｃｖｓが第２の所定値Ｃｖｓｒｅｆ２を下回っていなければ、即ち、ＶＳ（ｔ）が悪化していなければ、以降の整合器制御の処理をスキップしてＳ２２２に戻る。
一方、Ｃｖｓが第２の所定値Ｃｖｓｒｅｆ２を下回っている、即ち、ＶＳ（ｔ）が悪化していれば、中断中フラグをＯＦＦに設定し（Ｓ２３３）、Ｓ２２５に進んで整合器制御を実行する。【００６６】
また、前述のＳ２１８において、整合器制御初回フラグがＯＮのとき、即ち、整合器制御をまだ実行していないときは、Ｓ２１９からＳ２２１の処理により、周波数制御によるＶＳ（ｔ）の改善が見込まれないと判断されるまで整合器制御は実施しない。
一方、整合器制御が実行されてＳ２３０で整合器制御フラグがＯＦＦに設定されると、その後はＳ２１６で整合が取れたと判断されるか、Ｓ２３１で中断中フラグがＯＮに設定されない限り、周波数制御と整合器制御を同時に実行する。【００６７】
図１５は、図１３、図１４に示す周波数制御と整合器制御を実行したときの整合状態を示すタイムチャートである。
図１５に示すように、追従制御に移行した後、整合器制御において定数を変更しながら周波数制御も同時に実行するため、整合時間を短縮することができる。尚、周波数制御と整合器制御を同時に実行するにあたり、ハンチングを防止するには各制御の整合動作速度に差を設ければよい。即ち、一方の制御が他方の制御よりも整合速度が十分に速ければ、ハンチングは発生しない。例えば、周波数整合の整合動作速度（周波数の変更周期）が１ｍｓであるとすると、整合器制御の整合動作速度（定数の変更周期）を１０ｍｓ以上とすればよい。【００６８】
このように、本発明の第３の実施の形態に係る高周波電源装置にあっては、周波数制御と整合器制御とを連携して行うことで、整合範囲を広げることができる。さらに、周波数制御と整合器制御を同時に実行する（整合器２の定数の変更中も周波数制御を実行する）ようにしたので、整合時間を短縮することができる。
また、周波数制御は、可変コンデンサを動作させる整合器制御に比し、動作速度と分解能が高い。そのため、整合器制御と同時に周波数制御も実行することで、インピーダンスの小さな変化に対してより精度良く追従することができる。
【実施例４】
【００６９】
次いで、第４の実施の形態に係る高周波電源装置について説明する。従前の実施の形態との相違点は周波数制御と整合器制御にあるので、それについて説明する。
図１６は、本発明の第４の実施の形態に係る周波数制御と整合器制御の処理の前半部分を示すフローチャートであり、図１７は、図１６に示す処理の後半部分を示すフローチャートである。【００７０】
図１６に示す処理について説明すると、先ず、前述の式（１）に従い、ＶＳ（ｔ）を算出する（Ｓ３００）。次いで、Ｓ３０１からＳ３０５において、図１１のＳ１１９からＳ１２３と同様な整合器制御を行う。そして、Ｓ３０５の処理の後、定数が変更された後のＶＳ（ｔ）を算出し、当該ＶＳ（ｔ）が目標値（ＶＳＷＲ＝１）に達しているか否か判断する（Ｓ３０６）。【００７１】
ＶＳ（ｔ）が目標値に達していない場合は、整合器制御回数Ｃｃｎｔ（ｎ）をカウントアップし（Ｓ３０７）、このＣｃｎｔ（ｎ）が所定回数（例えば５回）を超えているか否か判断する（Ｓ３０８）。Ｃｃｎｔ（ｎ）が所定回数を超えていない、即ち、整合器制御によるＶＳ（ｔ）の改善がまだ見込まれるときは、Ｓ３００に戻って整合器制御を継続する。【００７２】
一方、Ｃｃｎｔ（ｎ）が所定回数を超えているときは、整合器制御をこれ以上継続してもＶＳ（ｔ）の改善が期待できないため、図１７のＳ３０９からＳ３１８において、図１０のＳ１０９からＳ１１６、Ｓ１１８と同様な周波数制御を行う。整合器制御から周波数制御に切り替えられた際、整合器２の定数は整合器制御で設定された最新のＣ（ｔ）が維持される。
尚、Ｃｃｎｔ（ｎ）の確認に加え、第３の実施の形態と同様に、ＶＳＲＷの変化率も確認するようにしてもよい。【００７３】
Ｓ３１７において、Ｆｃｎｔ（ｎ）が所定回数を上回ったとき、即ち、周波数整合を所定回数行っても整合が取れない場合は、Ｓ３００に戻って整合器制御を行う。
周波数制御から整合器制御に切り替えられた際、発振器１０の発振周波数は周波数制御で設定された最新のＦ（ｔ）が維持される。
一方、Ｆｃｎｔ（ｎ）が所定回数を上回っていないときは、Ｓ３０９に戻って周波数制御を継続する。尚、Ｆｃｎｔ（ｎ）の回数判断に加え、第３の実施の形態と同様に、ＶＳＲＷの変化率も確認するようにしてもよい。【００７４】
また、Ｓ３１５においてＶＳ（ｔ）が目標値に達したと判断されるときは、Ｆｃｎｔ（ｎ）を０にリセットした後、Ｓ３１０に戻って周波数制御を継続する。
また、図１６のＳ３０６においてＶＳ（ｔ）が目標値に達したと判断されるときは、Ｃｃｎｔ（ｎ）を０にリセットした後、Ｓ３１０に進んで周波数制御を実行する。このときも、整合器２の定数は整合器制御で設定された最新のＣ（ｔ）が維持される。【００７５】
図１８は、図１６、図１７に示す周波数制御と整合器制御を実行したときの整合状態を示すタイムチャートである。
図１８に示すように、整合器制御で整合を取った後、周波数制御を実行する。これは、整合後のインピーダンスの小さな変化に対し、動作速度と分解能が整合器制御よりも高い周波数制御で追従するためである。【００７６】
このように、本発明の第４の実施の形態に係る高周波電源装置にあっては、周波数制御と整合器制御とを連携して行うことで、整合範囲を広げることができる。さらに、整合器制御で整合を取った後、周波数制御を実行することで、整合後のインピーダンスの小さな変化に対して精度良く追従することができる。【００７７】
尚、上記の各実施例では、整合状態を示す値としてＶＳＷＲを算出したが、インピーダンスを算出しても良い。また、それらに代え、反射の度合いを示す係数など、整合状態を示すものであれば他の指標を用いてもよい。
【産業上の利用可能性】
【００７８】
本発明は、プラズマ処理装置等に電源を供給する高周波電源装置に利用することができる。
【符号の説明】
【００７９】
１・・・高周波電源装置
１０・・・周波数発振器
１１・・・ＲＦ増幅器
１２・・・方向性結合器
１３・・・検出回路
１４・・・制御部
２・・・整合器
３・・・負荷
【図１】
0006045118.tif 000002
【図２】
0006045118.tif 000003
【図３】
0006045118.tif 000004
【図４】
0006045118.tif 000005
【図５】
0006045118.tif 000006
【図６】
0006045118.tif 000007
【図７】
0006045118.tif 000008
【図８】
0006045118.tif 000009
【図９】
0006045118.tif 000010
【図１０】
0006045118.tif 000011
【図１１】
0006045118.tif 000012
【図１２】
0006045118.tif 000013
【図１３】
0006045118.tif 000014
【図１４】
0006045118.tif 000015
【図１５】
0006045118.tif 000016
【図１６】
0006045118.tif 000017
【図１７】
0006045118.tif 000018
【図１８】
0006045118.tif 000019